(57)【要約】【課題】耐震壁と既存躯体とのせん断力の伝達を確実に行うことができ、施工性の良い新設躯体の接続方法を提供する。【解決手段】既存躯体１、２、３に耐震壁１１を接合する接合構造２０は、既存躯体１，２，３の表面に接着剤２４により貼付された鋼板２３Ａ、２３Ｂと、鋼板２３Ａ、２３Ｂの表面に突設され、耐震壁１１内に埋設されたアンカー２６Ａ、２６Ｂと、既存躯体１，２，３と耐震壁１１の接合部に両者を亘るように部材表面に取付けられたアングル材２１と、を備える。【選択図】図２
2008208643.tif 000002
【特許請求の範囲】
【請求項１】
既存躯体に新設躯体を接合する構造であって、
前記既存躯体の表面に接着剤により貼付された板状部材と、
前記板状部材の表面に突設され、前記新設躯体内に埋設された接合筋と、
前記既存躯体と新設躯体との接合部に両者を亘るように取付けられた補強部材と、を備えることを特徴とする既存躯体と新設躯体の接合構造。
【請求項２】
前記新設躯体は増設壁であり、前記既存躯体の床、柱、又は梁の少なくとも何れかに接合されていることを特徴とする請求項１記載の既存躯体と新設躯体の接合構造。
【請求項３】
前記増設壁は耐震壁であることを特徴とする請求項２記載の既存躯体と新設躯体の接合構造。
【請求項４】
前記増設壁はコンクリートブロック又はＦＲＰブロックを組積してなることを特徴とする請求項２又は３に記載の既存躯体と新設躯体の接合構造。
【請求項５】
請求項１から３何れかに記載の既存躯体と新設躯体の接合構造であって、
前記新設躯体は、現場打ちの鉄筋コンクリート部材からなり、
前記鉄筋コンクリート部材には前記補強部材が取付けられる位置にナットが埋め込まれており、
前記補強部材は前記ナットにボルトにより締め付けられることで前記新設躯体に取り付けられていることを特徴とする既存躯体と新設躯体の接合構造。
【請求項６】
前記補強部材は、接着剤により前記既存躯体及び新設躯体の部材表面に取り付けられていること特徴とする請求項１から５何れかに記載の既存躯体と新設躯体の接合構造。
【請求項７】
前記新設躯体は、その表面が前記既存躯体の表面に対して略垂直となるように接合されており、
前記補強部材はアングル材であり、前記新設躯体と前記既存躯体の接合部の入隅部に沿って取付けられることを特徴とする請求項１から６記載の既存躯体と新設躯体の接合構造。
【請求項８】
既存躯体に新設躯体を接合する方法であって、
前記既存躯体の表面に接着剤により板状部材を貼付し、
前記板状部材の表面に接合筋を突設し、
前記接合筋が内部に埋め込まれるように前記新設躯体を構築し、
前記既存躯体と新設躯体の接合部に両者を亘るように部材表面に補強部材を取付けることを特徴とする既存躯体と新設躯体の接合方法。
【発明の詳細な説明】
【技術分野】
【０００１】
本発明は既存躯体と新設躯体の接合構造及び方法に関し、例えば、建物の既存躯体と接合するように壁を増設する場合に用いられる既存躯体と新設躯体の接合構造及び方法に関する。
【背景技術】
【０００２】
従来より、既存建物の躯体を耐震補強する方法として、鉄筋コンクリートからなる耐震壁を既存躯体と接合されるように新設する方法が用いられている。この方法では、一般に、既存躯体にアンカーを打設し、このアンカーが埋め込まれるように耐震壁を構築することにより、既存建物の躯体と耐震壁とを一体に接合することが行われている。しかしながら、既存の建物を利用しながら耐震補強を行う場合には、アンカー打設の際に発生する騒音や振動が問題となる。そこで、近年、既存建物の躯体に、アンカー筋の取付けられた鋼板を接着剤により取付け、アンカー筋が埋設されるように耐震壁を構築して、既存建物の躯体と耐震壁とを一体に構築する方法が用いられている。
【０００３】
しかしながら、このように接着剤を用いた方法では、既存躯体と耐震壁との接合部の接着面積が不足し、せん断力が十分に伝達されない虞がある。そこで、例えば、特許文献１には、耐震壁の壁厚よりも大きな幅の溝形鋼を既存躯体に接着し、既存躯体の近傍でこの溝形鋼の幅まで拡幅するように耐震壁を構築する方法が記載されている。
【特許文献１】特開２００１―２７０４８号公報
【発明の開示】
【発明が解決しようとする課題】
【０００４】
しかしながら、このように鋼板の幅を広くすると、鋼板の重量が増し、運搬が困難になるため施工性が悪くなるという問題がある。また、耐震壁を構成するコンクリートを打設するため型枠を設置する際に、拡幅部の型枠の形状が複雑になるため、手間がかかるという問題がある。
【０００５】
本発明は、上記の問題に鑑みなされたものであり、その目的は、新設躯体と既存躯体とのせん断力の伝達を確実に行うことができ、施工性の良い新設躯体の接合方法を提供することである。
【課題を解決するための手段】
【０００６】
本発明の新設躯体の接合構造は、既存躯体に新設躯体を接合する構造であって、前記既存躯体の表面に接着剤により貼付された板状部材と、前記板状部材の表面に突設され、前記新設躯体内に埋設された接合筋と、前記既存躯体と新設躯体との接合部に両者を亘るように取付けられた補強部材と、を備えることを特徴とする。
なお、前記板状部材は、平板状の部材及び溝形の部材を含むものとする。
【０００７】
上記の新設躯体の接合構造において、前記新設躯体は増設壁であり、前記既存躯体の床、柱、又は梁の少なくとも何れかに接合されていてもよく、さらに、前記増設壁は耐震壁であってもよい。
また、前記増設壁はコンクリートブロック又はＦＲＰブロックを組積してなるものであってもよい。
また、上記の新設躯体の接合構造において、前記新設躯体は、現場打ちの鉄筋コンクリート部材からなり、前記鉄筋コンクリート部材には前記補強部材が取付けられる位置にナットが埋め込まれており、前記補強部材は前記ナットにボルトにより締め付けられることで前記新設躯体に取り付けられていてもよい。
また、前記補強部材は、接着剤により前記既存躯体及び新設躯体の部材表面に取り付けられていてもよい。
【０００８】
前記新設躯体は、その表面が前記既存躯体の表面に対して略垂直となるように接合されており、前記補強部材はアングル材であり、前記新設躯体と前記既存躯体の接合部の入隅部に沿って取付けられていてもよい。
また、本発明の新設躯体の接合方法は、既存躯体に新設躯体を接合する方法であって、  前記既存躯体の表面に接着剤により板状部材を貼付し、前記板状部材の表面に接合筋を突設し、前記接合筋が内部に埋め込まれるように前記新設躯体を構築し、前記既存躯体と新設躯体の接合部に両者を亘るように部材表面に補強部材を取付けることを特徴とする。
【発明の効果】
【０００９】
本発明によれば、既存躯体と新設躯体との接合部に両者を亘るように鋼板を設ける構成としたため、既存躯体と新設躯体の間でより大きなせん断力を伝達することができる。また、新設躯体に拡幅する部分を設ける必要がないため、型枠の形状が複雑にならず、鋼板の幅を広げる必要がないため、鋼板の重量を抑えることができ、施工性を向上することができる。
【発明を実施するための最良の形態】
【００１０】
以下、本発明の既存躯体と新設躯体の接合構造の一実施形態を図面を参照しながら説明する。なお、以下の説明では既存の柱梁架構内に耐震補強用の耐震壁を新設し、この耐震壁と柱梁架構とを接合する場合を例として説明する。
図１は、本実施形態の接合構造２０により耐震壁１１が接合された柱梁架構１０を示す図である。同図に示すように、本実施形態の接合構造２０は、既存躯体である柱梁架構１０と、柱梁架構１０で囲われた空間内に構築されたコンクリートブロック造の耐震壁１１とを接合するものである。耐震壁１１が接合されることにより柱梁架構１０は耐震補強されている。耐震壁１１は、縦横複数に区画されており、この区画線上にコンクリートブロック１２同士の継ぎ目が位置するとともに、縦筋及び横筋が配筋されている。
【００１１】
図２（Ａ）は、柱２と耐震壁１１の接合構造２０Ａを示す水平断面図であり、同図（Ｂ）は、床３又は梁１と耐震壁１１の接合構造２０Ｂを示す鉛直断面図である。同図（Ａ）に示すように、柱２の表面には、長ナット２５が溶接接続された鋼板２３Ａが接着剤２４により貼着され、この長ナット２５に横アンカー２６Ａが接続されている。耐震壁１１は横アンカー２６Ａが内部に埋め込まれるように構築されている。また、柱２と耐震壁１１との入隅部には、鋼材、ＦＲＰ又はアルミからなるアングル材２１が接着剤２２により取り付けられている。
【００１２】
同図（Ｂ）に示すように、床３及び梁１と耐震壁１１の接合構造２０Ｂは、柱２と耐震壁１１の接合構造２０Ａと略同様の構成であるが、この接合構造２０Ｂでは、縦アンカー２６Ｂが鋼板２３Ｂに直接溶接により取り付けられている。
なお、本実施形態では、アングル材２１を床３、梁１及び柱２と、耐震壁１１との入隅部全長に亘って設ける構成としたが、これに限らず、部分的に設ける構成としてもよい。
【００１３】
かかる構成によれば、耐震壁１１は、鋼板２３Ａ，２３Ｂ及びアングル材２１を介して、既存の梁１、柱２、及び床３と接着されることとなる。このため、既存の床３、柱２、及び梁１と耐震壁１１との接着面積が大きくなり、それらの間でより大きなせん断力を伝達することができる。これにより、耐震壁１１に拡幅部を設けたり、幅の広い鋼板を用いたりする必要がなくなる。
【００１４】
以下、本実施形態の補強構造２０を構築する方法を説明する。
まず、図３に示すように、耐震壁１１を構築すべき柱梁架構１０の梁１、柱２、及び床３の内側に鋼板２３Ａ，２３Ｂを接着材２４により貼着する。このとき、床３及び梁１には、縦アンカー２６Ｂが溶接接続された鋼板２３Ｂを縦アンカー２６Ｂが区画線に沿うように貼着する。また、柱２には長ナット２５が溶接により取付けられた鋼板２３Ａを長ナット２５が区画線に沿うように貼着する。鋼板２３Ａ，２３Ｂを貼着する接着剤２４としては、エポキシ樹脂などを用いることができる。
【００１５】
次に、コンクリートブロック１２を組積する。図４は、コンクリートブロック１２を示す図であり、（Ａ）は平面図、（Ｂ）は側面図、（Ｃ）は正面図である。同図に示すように、コンクリートブロック１２は上記の縦横の区画線で囲われた大きさの長方形のブロックであって、その上下左右の面には、隣接するブロックとの継ぎ目位置において横筋２７Ａ及び縦筋２７Ｂを挿通させるための半円状の目地溝１２Ａが形成されている。
【００１６】
図５は、コンクリートブロック１２を組積する方法を説明するための図である。
まず、図５（Ａ）に示すように、最初のコンクリートブロック１２を床３と柱２の入隅部に配置する。この時、長ナット２６はコンクリートブロック１２の目地溝１２Ａより突出せず、また、床３より突出する縦アンカー２６Ｂは目地溝１２Ａの半円中心に突出しているため、干渉されることなくコンクリートブロック１２を設置できる。
【００１７】
その後、他方側の柱２までコンクリートブロック１２を配置する。この際、コンクリートブロック１２の厚みは鋼板２３Ｂの幅と等しいため、鋼板２３Ｂに合わせてコンクリートブロック１２を配置することで、コンクリートブロック１２を正確に配列できる。
一段目の配列後、図５（Ｂ）に示すように、柱２に貼付された鋼板２３Ａに取付けられた長ナット２５に横アンカー２６Ａをねじ込み固定する。このねじ込み作業は、コンクリートブロック１２の上側の目地溝１２Ａによる空間内で行えるため無理なく行うことができる。
【００１８】
その後、縦アンカー２６Ｂに縦筋２７Ｂを番線、溶接などにより接続する。また、同様に横アンカー２６Ａにも横筋２７Ａを接続し、これらの縦筋２７Ｂ及び横筋２７Ａを交差位置において番線などで結束した後、コンクリートブロック１２の目地溝１２Ａ内に目地コンクリートを充填する。これにより第１段目のコンクリートブロック列が完成する。
【００１９】
さらに、その後、図５（Ｃ）に示すように２段目以降のコンクリートブロック１２の組積を行うが、第１段目と同様な手順で組積が可能である。以降、最上段に到達するまでコンクリートブロック１２の組積、縦筋２７Ｂ及び横筋２７Ａの配筋、及び目地コンクリートの充填を繰り返すことにより耐震壁１０を構築することができる。
【００２０】
耐震壁１０が完成した後、図５（Ｄ）に示すように、耐震壁１１と床３、柱２及び梁１との接合部の入隅部にアングル材２１を接着剤２２により取付ける。接着剤２２としては鋼板２３Ａ、２３Ｂの接着に用いた接着剤２４と同様にエポキシ樹脂などを用いることができる。
以上の工程により耐震壁１１と柱梁架構１０とが一体となり、柱梁架構１０の耐震補強が完了する。
【００２１】
本実施形態の新設躯体の接合構造２０によれば、耐震壁１１が鋼板２３Ａ，２３Ｂ及びアングル材２１を介して柱梁架構１０に付着しているため、耐震壁１１の壁厚を厚くすることなく、柱梁架構１０と耐震壁１１の間で接着力を確保することができる。このため、鋼板２３Ａ，２３Ｂの幅を広げる必要がなく、鋼板２３Ａ，２３Ｂの重量を抑えることができるため、施工性を向上することができる。また、耐震壁１１に拡幅部などを設ける必要がないため、型枠の設置が複雑になることがなく、施工性を向上することができる。
【００２２】
なお、上記の実施形態では、コンクリートブロック１２により耐震壁１１を構築する場合について説明したが、これに限らず、ＦＲＰブロックを組積して耐震壁１１を構築してもよい。
また、耐震壁１１を現場打ちの鉄筋コンクリート造とすることもでき、このような場合には、図６に示すように、コンクリートを打設する際に、部材表面に露出するようにナット４６を埋め込んでおき、アングル材４２をボルト４５で締めつけることにより耐震壁３１に取付ける構成とすることができる。
【００２３】
また、本実施形態では、耐震壁１１と柱梁架構１０の接合部に両者を亘るようにアングル材２１を取付ける構成としたが、例えば、図７に示すように、耐震壁５１の側面が梁２の側面と同一平面上に並ぶように構築することにより、耐震壁５１と梁２の接合部に両者を亘るように平板状の鋼板５２を取付ける構成とすることができる。
また、本実施形態では、床３、柱２及び梁１に鋼板２３Ａ，２３Ｂを取付ける構成としたが、これに限らず、溝形鋼などを取付ける構成としてもよい。
【００２４】
また、本実施形態では、柱梁架構１０により形成される空間を塞ぐように耐震壁１１を設ける場合について説明したが、これに限らず、耐震壁として袖壁のように柱梁架構１０により形成される空間の一部を塞ぐように壁を増設する場合にも適用することができ、要するに、既存躯体とコンクリート部材からなる新設躯体とを接合する場合に適用することができる。
【図面の簡単な説明】
【００２５】
【図１】本実施形態の接合構造により耐震壁が接合された柱梁架構を示す図である。
【図２】（Ａ）は、柱と耐震壁の接合部の構成を示す水平断面図であり、（Ｂ）は、床又は梁と耐震壁の接合部の構成を示す鉛直断面図である。
【図３】柱梁架構で囲われた空間に向けて鋼板が接着剤により貼着された状態を示す図である。
【図４】コンクリートブロックを示す図であり、（Ａ）は平面図、（Ｂ）は側面図、（Ｃ）は正面図である。
【図５】コンクリートブロックを組積する方法を説明するための図である。
【図６】耐震壁を現場打ちの鉄筋コンクリート造とした場合の接合構造を示す図である。
【図７】耐震壁を、側面が梁部材の側面と同一平面上に並ぶように構築した場合の接合構造を示す図である。
【符号の説明】
【００２６】
１  梁                                    ２  柱
３  床                                  １０  柱梁架構
１１  耐震壁                            １２  コンクリートブロック
２０、２０Ａ  ２０Ｂ  接合構造          ２１、４１  アングル材
２２、４２  接着剤                      ２３、２３Ａ、２３Ｂ  鋼板
２４  接着剤                            ２５  長ナット
２６Ａ  横アンカー                      ２６Ｂ  縦アンカー
２７Ａ  横筋                            ２７Ｂ  縦筋
３１  （鉄筋コンクリート造の）耐震壁    ４３  鋼板
４４  接着剤                            ４５  ボルト
４６  ナット                            ５１  （鉄筋コンクリート造の）耐震壁
５２  平板状の鋼板
【図１】
2008208643.tif 000003
【図２】
2008208643.tif 000004
【図３】
2008208643.tif 000005
【図４】
2008208643.tif 000006
【図５】
2008208643.tif 000007
【図６】
2008208643.tif 000008
【図７】
2008208643.tif 000009